(57)【特許請求の範囲】
【請求項１】
電子回路を搭載した基板が収容されたシールドケースを備える画像形成装置であって、
前記シールドケースは、一つの面の一部に開口が形成された導電性のケース本体と、一端が前記ケース本体に回動可能に支持され、他端が前記開口の閉時に前記ケース本体にビスで締結される導電性の蓋部材と、を有し、
前記ケース本体と前記蓋部材とは前記開口の閉時に互いに係合する被係合部と係合部とをそれぞれ有し、該係合部は前記被係合部を挟持するように形成され、
前記係合部は、前記蓋部材の他端から前記被係合部側に延出する突片により構成され、該突片には、該突片の延出方向の中央部から先端までスリットが形成され、該スリットを挟んで一方側の片は前記突片の延出方向に沿って真っ直ぐに延出し、前記スリットを挟んで他方側の片は前記一方側の片に対して前記被係合部の板厚より小さい隙間を成すように該一方側の片に対して平行に延出し、
前記開口の閉時に前記ビスを締結方向へ回転させると、前記係合部と前記被係合部との接触力が増大する方向に向かうように形成されていることを特徴とする画像形成装置。
【請求項２】
前記被係合部には板片が形成されていることを特徴とする請求項１に記載の画像形成装置。
【請求項３】
前記板片は、前記ケース本体に前記基板を支持する支持部材であることを特徴とする請求項２に記載の画像形成装置。
【請求項４】
前記一方側の片の先端部と前記他方側の片の先端部は互いに離間する方向に広がるように形成されていることを特徴とする請求項１〜３のいずれかの請求項に記載の画像形成装置。
【請求項５】
前記被係合部及び前記係合部は前記シールドケース内に設けられていることを特徴とする請求項１〜４のいずれかの請求項に記載の画像形成装置。
【発明の詳細な説明】
【技術分野】
【０００１】
本発明は、電気回路が実装された基板が収容されるシールドケースを備えた画像形成装置に関する。
【背景技術】
【０００２】
画像形成装置において、画像形成に関する各種のパラメーターを制御する電気回路が実装された制御基板はシールドケースに収容されている。シールドケースは一般的には画像形成装置の裏側で本体フレームにビス止めにより電気的に接続されて、本体フレームを介して接地されている。
【０００３】
シールドケースの本体には、制御基板の点検やメモリを増設する場合等に制御基板を操作するための開口が開けられている。開口は蓋部材で開閉できるようになっている。蓋部材がシールドケースの本体に対して電気的に接続されていないと、シールドケースから電磁波が漏えいする虞がある。
【０００４】
このため、特許文献１には、蓋部材をシールドケースの本体の開口の周囲に複数のネジで固定するとともに、蓋部材の裏面のネジ固定部の間に突起を形成したシールドケースが開示されている。このシールドケースでは、蓋部材をシールドケースの本体にネジで固定する際に、蓋部材で突起がシールドケースの本体に対して押圧され、蓋部材とシールドケースの本体とが確実に接触して導通するようになっている。
【先行技術文献】
【特許文献】
【０００５】
【特許文献１】特開２００１−１３００９１号公報
【発明の概要】
【発明が解決しようとする課題】
【０００６】
しかしながら上記特許文献１に記載されているシールドケースは、蓋部材を開口の周囲に複数のビスで固定する必要があるため、蓋部材の開閉作業に手間が掛かるという問題がある。また、蓋部材に複数の突起を形成しているので、蓋部材の製造コストが高くなるという問題もある。
【０００７】
そこで、本発明は上記事情を考慮し、蓋部材を容易に開閉でき、本体ケースと蓋部材とを確実に導通できるシールドケースを備えた画像形成装置を提供することを目的とする。
【課題を解決するための手段】
【０００８】
本発明の画像形成装置は、電子回路を搭載した基板が収容されたシールドケースを備える画像形成装置であって、前記シールドケースは、一つの面の一部に開口が形成された導電性のケース本体と、一端が前記ケース本体に回動可能に支持され、他端が前記開口の閉時に前記ケース本体にビスで締結される導電性の蓋部材と、を有し、前記ケース本体と前記蓋部材とは前記開口の閉時に互いに係合する被係合部と係合部とをそれぞれ有し、該係合部は前記被係合部を挟持するように形成され、前記開口の閉時に前記ビスを締結方向へ回転させると、前記係合部と前記被係合部との接触力が増大する方向に向かうように形成されていることを特徴とする。
【０００９】
このような構成を採用することにより、ケース本体と蓋部材とが確実に導通するので、ケース本体からの電磁波の漏えいを防ぐことができる。また、ビス止めする箇所が少なくてすむので、蓋部材の開閉作業に手間がかからない。
【００１０】
本発明の画像形成装置において、前記被係合部及び前記係合部のいずれか一方には板片が形成され、前記被係合部及び前記係合部の他方には前記板片を挟持する挟持片が形成されていることを特徴としてもよい。
【００１１】
このような構成を採用することにより、挟持片が板片を挟持すると、挟持片が板片の両面に接触するので、挟持片と板片との電気的な接続を得やすくなる。
【００１２】
本発明の画像形成装置において、前記ケース本体の前記開口が形成された面に隣接する面には、前記開口と角部を介して連通する切り欠き状開口が形成されており、前記板片は、前記ケース本体内に前記切り欠き状開口と所定の間隔を開けて対向するように配置されているとともに、前記切り欠き状開口よりも開口面積の狭い第２開口が形成されており、前記基板は、前記板片の内側に配置されているとともに、前記板片の前記第２開口の内側に配置されたコネクタを有し、前記開口の閉時に、前記コネクタは前記切り欠き状開口及び前記第２開口を通して接続可能な状態であることを特徴としてもよい。
【００１３】
このような構成を採用することにより、ケース本体の開口を閉じたままでオプション機器などのコネクタを基板のコネクタに容易に接続することができる。さらに、第２開口の開口面積が狭いので、ケース本体からの電磁波の漏れを防ぐことができる。
【００１４】
本発明の画像形成装置において、前記板片は、前記ケース本体に前記基板を支持する支持部材であることを特徴としてもよい。
【００１５】
このような構成を採用することにより、新たな部材を付加することなく、ケース本体からの電磁波の漏れを防ぐことができる。
【００１６】
本発明の画像形成装置において、前記挟持片は前記蓋部材の端縁に形成されており、該挟持片の各々の片は、前記端縁に沿って交互に配置されていることを特徴としてもよい。
【００１７】
このような構成を採用することにより、蓋部材を単一の材料で形成することができ、挟持片を簡単な加工で形成することができる。
【発明の効果】
【００１８】
本発明によれば、開口を閉じる際には、蓋部材の係合部をケース本体の被係合部に係合させるとともに、蓋部材をケース本体の２箇所にビスで締結するだけでよいので、蓋部材の開閉を容易に行うことができる。また、ビス締結することにより係合部と被係合部との接触力が増大するので、蓋部材とケース本体とを確実に電気的に接続でき、電磁波の漏れを確実に遮蔽できる。
【図面の簡単な説明】
【００１９】
【図１】本発明の一実施形態に係るカラープリンターの構成の概略を示す模式図である。
【図２】本発明の一実施形態に係るカラープリンターのシールドボックスの斜視図である。
【図３】本発明の一実施形態に係るカラープリンターのシールドボックスの分解斜視図である。
【図４】本発明の一実施形態に係るカラープリンターのシールドボックスに収容される基板の斜視図である。
【図５】本発明の一実施形態に係るカラープリンターにおいて、基板をシールドボックスに収容した状態を示す斜視図である。
【図６】本発明の一実施形態に係るカラープリンターのシールドボックスの蓋部材を示す斜視図である。
【図７】本発明の一実施形態に係るカラープリンターにおいて、蓋部材を基板開口がほぼ閉じられる位置まで回動させた状態を示す斜視図である。
【図８】本発明の一実施形態に係るカラープリンターにおいて、蓋部材の突片をケース本体のカバー片に係合させた状態を示す図であり、図８（Ａ）は正面図、図８（Ｂ）は側面図である。
【発明を実施するための形態】
【００２０】
以下、図面を参照しつつ、本発明の一実施形態に係る画像形成装置について説明する。
【００２１】
まず、図１を用いて、画像形成装置としてのカラープリンター１の全体の構成について説明する。図１は、本発明の一実施形態に係るカラープリンターの構成の概略を示す模式図である。なお、図１に関する説明では、図１における左側をプリンター１の正面側（前側）とし、正面から見て、前後方向に直交する方向を左右方向とする。
【００２２】
カラープリンター１は、箱型形状のプリンター本体２を備えている。プリンター本体２は、プリンター本体２の外郭をなす板金部材である本体フレーム２ａと、本体フレーム２ａの表面を覆うカバー部材２ｂとを有する。
【００２３】
プリンター本体２の下部には用紙（記録媒体）を収納した給紙カセット３が設けられ、プリンター本体２の上部には排紙トレイ４が設けられている。複写機本体２の上端には、排紙トレイ４の上方に画像読取装置５が設けられている。
【００２４】
プリンター本体２の中央部には中間転写ベルト６が設けられ、中間転写ベルト６の下方には、レーザー・スキャニング・ユニット（ＬＳＵ）で構成される露光装置７が配置されている。中間転写ベルト６の下側には、４個の画像形成部８がトナーの色（例えば、マゼンタ、シアン、イエロー、ブラックの４色）ごとに設けられている。各画像形成部８には、感光体ドラム９が回転可能に設けられており、感光体ドラム９の周囲には、帯電器１０と、現像器１１と、一次転写部１２と、クリーニング装置１３と、除電器１４とが、一次転写のプロセス順に配置されている。現像器１１の上方には、各画像形成部８と対応するトナーコンテナ１５が、トナーの色（例えば、マゼンタ、シアン、イエロー、ブラックの４色）ごとに設けられている。
【００２５】
プリンター本体２の一側（図面上右側）には、用紙の搬送経路１６が上下方向に設けられている。搬送経路１６の上流端には給紙部１７が設けられ、搬送経路１６の中流部には中間転写ベルト６の一端（図面上右端）に二次転写部１８が設けられ、搬送経路１６の下流部には定着装置２０が設けられ、搬送経路１６の下流端には排紙口２１が設けられている。
【００２６】
プリンター本体２の本体フレーム２ａの裏面には、シールドケース３０が取り付けられている。シールドケース３０には、画像形成に関する各種パラメーターを制御する電気回路、電源回路、メモリ等を搭載した基板や、コネクタ、ファン等が収容されている。シールドケース３０については後述する。
【００２７】
次に、このような構成を備えたカラープリンター１の画像形成動作について説明する。カラープリンター１に電源が投入されると、制御回路において各種パラメーターが初期化され、定着装置２０の温度設定等の初期設定が実行される。そして、画像読取装置５によって原稿画像が読み取られると、以下のようにして画像形成動作が実行される。
【００２８】
まず、帯電器１０によって感光体ドラム９の表面が帯電された後、露光装置７からのレーザー光（矢印Ｐ参照）により感光体ドラム９の表面に静電潜像が形成される。この静電潜像は、現像器１１でトナーコンテナ１５から供給されるトナーによって対応する色のトナー像に現像される。このトナー像は、一次転写部１２において中間転写ベルト６の表面に一次転写される。以上の動作を各画像形成部８が順次繰り返すことによって、中間転写ベルト６上にフルカラーのトナー像が形成される。なお、感光体ドラム９上に残留したトナー及び電荷は、クリーニング装置１３及び除電器１４によって除去される。
【００２９】
一方、給紙部１７によって給紙カセット３又は手指しトレイ（図示せず）から取り出された用紙は、上記した画像形成動作とタイミングを合わせて二次転写部１８へと搬送され、二次転写部１８において、中間転写ベルト６上のフルカラーのトナー像が用紙に二次転写される。トナー像を二次転写された用紙は、搬送経路１６を下流側へと搬送されて定着装置２０に進入し、この定着装置２０において用紙にトナー像が定着される。トナー像が定着された用紙は、排紙口２１から排紙トレイ４上に排出される。
【００３０】
次に、図２〜図６を参照してシールドケース３０について説明する。図２は、シールドケースを示す斜視図であり、図３は、シールドケースの構成要素を簡略化して示した分解斜視図である。図４は、基板を示す斜視図であり、図５は、基板をケース本体に取り付けた状態を示す斜視図である。図６は、蓋部材を示す斜視図である。上記したようにシールドケースはカラープリンターの裏面に取り付けられているので、以降の説明では、シールドケースをカラープリンターの裏側から見て説明し、文中の左右方向と前後方向は、プリンターの裏側から見た方向を示す。
【００３１】
シールドケース３０は、図２に示されるように、基板、ファン、コネクタ等が収容されて、前面の一部に基板操作用の開口５３が形成されたケース本体４０と、ケース本体４０の開口５３を開閉する蓋部材７０と、を有する。
【００３２】
ケース本体４０は、正面形状が長方形状で、前後方向に扁平な直方体状の箱状部材である。ケース本体４０は、前面が開口した箱体４１と、箱体４１の前面の開口を覆う天板５０と、を有し、導電性を有する板金部材で形成される。ケース本体４０は、ビス止め等によりカラープリンター１の本体フレーム２ａに取り付けられて、本体フレーム２ａを介して接地される。
【００３３】
箱体４１は、図３に示されるように、やや横長の長方形状の底板４２と、底板４２の上下及び左右の辺から立設される上下の側板４３、４４及び左右の側板４５、４６を有する。底板４２の前側の面には、基板、基板冷却用のファン、複数のコネクタ等が配置されている。基板は、底板４２の上部のやや左寄りの位置に配置され、ファンは基板の下方に配置されている。各種のコネクタや、信号ケーブルや電源ラインを束ねるホルダ等は、基板の両側に配置されている。
【００３４】
上側板４３の、基板に対応する位置には、切り欠き４３ａが形成されている。切り欠き４３ａは方形形状であり、上側板４３の前縁から後縁寄りまで延びている。なお、上側板４３と下側板４４には、他にも切り欠きが形成されているが、それらについては図示及び説明を省略する。
【００３５】
上下の側板４３、４４及び左右の側板４５、４６の周縁に沿って、複数の舌状片４３ｂ、４４ｂ、４５ｂ、４６ｂが内方向又は外方向にほぼ直角に延出するように形成されている。舌状片４３ｂ、４４ｂ、４５ｂ、４６ｂには、ネジ孔が開けられている。
【００３６】
天板５０は、箱体４１の底板４２と同様のやや横長の長方形状の前板５１と、前板５１の上縁のほぼ左半分の位置から後方に直角に延出する上板５２と、を有する。前板５１の上縁には、上板５２の両側から連続して後方にほぼ直角に延出する外縁部５１ａが形成されている。前板５１の左右の側縁にも、後方にほぼ直角に延出する外縁部５１ａが複数形成されている。また、前板５１の周囲に沿って、複数の貫通孔５１ｂが開けられている。上板５２の後縁には、上方にほぼ直角に延出する後縁部５２ａが形成されている。
【００３７】
前板５１には、箱体４１の底板４２上に配置された基板に対応する位置に開口５３が形成されている。基板に対応する開口５３（以降、基板開口という）は、縦長の略長方形状の形状であり、幅の狭い上部長方形部５３ａと、上部長方形部５３ａから下方に向かって幅広となる台形部５３ｂと、台形部５３ｂから下方に延びる幅の広い下部長方形部５３ｃと、を有し、基板のほぼ全面が露出する。なお、前板５１には、他にもファンやオプション用等の開口が形成されているが、それらについては図示及び説明を省略する。
【００３８】
前板５１の基板開口５３の周囲には、開口５７とネジ孔５８とが形成されている。開口５７は、基板開口５３の左下隅の左下方向の外側と、右下隅の右下方向の外側とに形成されている。ネジ孔５８は、基板開口５３の左上隅の左方向の外側と、右上隅の右方向の外側とに形成されている。
【００３９】
前板５１と上板５２との角には切り欠き状開口５５が形成されている。切り欠き状開口５５の下端は、基板開口５３の上部長方形部５３ａに連通している。
【００４０】
次に、基板Ｓについて図４を参照して説明する。基板Ｓは、縦長の長方形状であり、ＣＰＵ、抵抗器やコンデンサ等の電子部品、コネクタ、ケーブルを束ねて固定するホルダ等が実装されている。
【００４１】
基板Ｓは、基板支持部材６０に支持されている。基板支持部材６０は、支持板６１とカバー板６２とを有し、板金部材で形成されている。支持板６１は、横長の長方形状であり、下縁の中央付近に、下方に延出する幅広の延長部６１ａが形成されている。支持板６１の左端部６１ｂは前方にほぼ直角に折れ曲がっている。支持板６１の前側の面には、プリンター本体内の各部から延びる信号ケーブルや電源ラインを束ねる複数のホルダ部材やコネクタ等が取り付けられている。
【００４２】
カバー板６２は、側面形状がＬ字状の部材であり、固定片６３と、固定片６３の上端からほぼ直角に前方に延出するカバー片６４と、を有する。カバー片６４の中央には、横長の方形の開口６４ａ（第２開口）が開けられている。カバー板６２の固定片６３は支持板６１の延長部６１ａの下部に固定されており、カバー片６４は支持板６１の延長部６１ａから直角に前方に突き出している。
【００４３】
基板Ｓは、上端部が、カバー板６２の固定片６３に固定されている。基板Ｓは、基板Ｓに実装されたオプション機器用コネクタＯＣが、カバー板６２のカバー片６４の開口６４ａの下方近傍に位置するように配置される。オプション機器とは、例えば、原稿自動読み取り装置などのカラープリンター１にオプションとして付加される装置である。オプション機器から延びる信号ケーブルや電源ラインの末端に接続されたコネクタは、カバー片６４の開口６４ａを通ってオプション機器用コネクタＯＣへ接続できるようになっている。
【００４４】
また、オプション機器は、オプションとして追加する機能のプログラムやデータなどを保存した記憶媒体の場合もある。記憶媒体は、一体に形成されたコネクタがオプション機器用コネクタＯＣに接続されて基板Ｓに装着される。カバー片６４の開口６４ａは、箱体４１の切り欠き状開口５５の開口面積よりも狭く、オプション機器用コネクタＯＣに接続するコネクタが通過できる程度の開口面積を有する。
【００４５】
次に、上記した基板Ｓを支持した基板支持部材６０をケース本体４０に取り付けた状態を図３及び図５を参照して説明する。基板支持部材６０は、支持板６１の延長部６１ａが箱体４１の上側板４３の切り欠き４３ａに配置されて、延長部６１ａの背面は、切り欠き４３ａの奥側の端面に当接している。延長部６１ａの両側の支持板６１は、上側板４３に乗り、延長部６１ａに支持された基板Ｓは、箱体４１の底板４２から浮いた姿勢で上側板４３に支持される。基板支持部材６０のカバー板６２のカバー片６４は、上側板４３の切り欠き４３ａの下方に位置する。
【００４６】
天板５０は、上板５２と、前板５１の上縁と左右の側縁に形成された外縁部５１ａとが、箱体４１の外周を囲むように被せられる。これにより、箱体４１の前面の開口が前板５１で覆われる。そして、前板５１の周囲に形成された貫通孔５１ｂからビスを通し、箱体４１の上下及び左右の側板４３、４４、４５、４６に形成された舌状片４３ｂ、４４ｂ、４５ｂ、４６ｂのビス孔に螺合させることにより、天板５０が箱体４１に固定される。
【００４７】
この際、基板支持部材６０の支持板６１は、箱体４１の上側板４３の切り欠き４３ａと天板５０の上板５２の後縁部５２ａとの間に挟まれる。そして、支持板６１と後縁部５２ａとをビス止めすることにより、基板支持部材６０がケース本体４０に支持される。
【００４８】
このような構成により、図５に示されるように、前板５１の基板開口５３から基板Ｓが露出し、切り欠き状開口５５から基板支持部材６０のカバー板６２のカバー片６４が露出するようになっている。また、基板Ｓに実装されたオプション機器用コネクタＯＣは、天板５０の上板５２の切り欠き状開口５５と、箱体４１の上側板４３の切り欠き４３ａと、基板支持部材６０のカバー板６２の開口６４ａとを通って接続可能となっている。つまり、本実施形態においては、オプション機器用コネクタＯＣは、基板開口５３の開閉に関わらず常に接続可能な状態にある。オプション機器用コネクタＯＣの外側の空間は、カバー板６２のカバー片６４で覆われる。
【００４９】
また、切り欠き４３ａ及び切り欠き状開口５５は、カバー片６４の開口６４ａよりも開口面積が広いため、基板開口５３が閉状態においても、オプション機器のコネクタの接続作業を容易に行うことができる。開口６４ａは、コネクタが通過できる程度の狭い開口面積であるため、記憶媒体等を誤ってケース本体４０内に落下させることがない。また、オプション機器のコネクタや記憶媒体は切り欠き状開口５５の内側に配置されて、上板５２から突出しないため、他の作業の際に干渉することがない。
【００５０】
次に、蓋部材７０について図６を参照して説明する。蓋部材７０は、ケース本体４０の天板５０の基板開口５３よりも大きい長方形状の平板であり、導電性を有する板金部材で形成される。
【００５１】
蓋部材７０の上縁の中央には、後方向にほぼ直角に延出する突片７１が形成されている。突片７１の幅方向の中央には、長さ方向に延びるスリット７１ａが形成されている。スリット７１ａは、突片７１の長さ方向のほぼ中央まで延びている。スリット７１ａの右側の右片７２は、後方に直角に真っ直ぐに延出している。スリット７１ａの左側の左片７３は、下方に折れ曲がった後で右片７２と平行に後方に延出している。このように右片７２と左片７３との間には、上下方向においてある程度の隙間が空いている。隙間の間隔は、基板支持部材６０のカバー片６４の板厚よりもやや小さい程度である。
【００５２】
右片７２の先端部７２ａは、斜め上方に折れ曲がっている。左片７３の先端部７３ａは、斜め下方に折れ曲がっている。このように形成することにより、右片７２と左片７３との間の隙間は、突片７１の先端に向かって間隔が広くなっている。
【００５３】
蓋部材７０の上左隅と上右隅には、それぞれビスが挿通される貫通孔７５が開けられている。蓋部材７０の下縁の左右端部には、下方に延びるフック部７６が形成されている。フック部７６は横長の長方形形状で、蓋部材７０の下縁から後方に折れ曲がった段部７６ａと、段部７６ａから蓋部材７０と平行に延びる平板部７６ｂとを有する。
【００５４】
蓋部材７０は、天板５０に回動可能に支持される。蓋部材７０の各フック部７６を、天板５０の前板５１に形成された方形の開口５７（図３参照）に挿入すると、各フック部７６の段部７６ａが開口５７の下側側面に乗り、蓋部材７０は各フック部７６の段部７６ａを中心にして回動する。
【００５５】
上記の構成を有するシールドケース３０において、蓋部材７０でケース本体４０の基板開口５３を閉じる方法を、図７及び図８を参照して説明する。図７は、蓋部材をほぼ閉位置にまで回動させた際の、蓋部材の突片とケース本体とを示す斜視図である。図８は、蓋部材の突片をケース本体のカバー板に係合させた状態を示す図であり、図８（Ａ）は正面図、図８（Ｂ）は側面図である。
【００５６】
図７に示されるように、蓋部材７０を基板開口５３の全閉位置の手前まで回動させると、蓋部材７０の突片７１は、天板５０に形成された切り欠き状開口５５を通って、基板支持部材６０のカバー板６２のカバー片６４に対向する。蓋部材７０をさらに回動させると、突片７１の右片７２の先端７２ａと左片７３の先端７３ａとの間にカバー片６４の先端が入り込む。
【００５７】
さらに蓋部材７０を回動させると、図８に示されるように、カバー板６２のカバー片６４の開口６４ａより前側の部分は、突片７１の右片７２と左片７３とで挟持されて、カバー片６４の上面が右片７２の下面に接触し、カバー片６４の下面が左片７３の上面に接触する。この際、右片７２と左片７３とは、弾性によりそれぞれカバー片６４の上面と下面とに押圧される。
【００５８】
また、蓋部材７０を基板開口５３の全閉位置まで回動させると、蓋部材７０の裏面の周囲の部分は、天板５０の基板開口５３の周囲の部分に接触する。さらに、フック部７６の平板部７６ｂの表側の面は、天板５０の裏側の面に接触する。
【００５９】
その後、図７に示されるように、蓋部材７０の左右の貫通孔７５にビスＢＬ、ＢＲを通し、天板５０のビス孔５８に螺合させ、蓋部材７０を天板５０にビスＢＬ、ＢＲで締結する。ビスＢＬ、ＢＲを螺合させる際は、ビスＢＬ、ＢＲを図８（Ａ）の矢印Ｘで示すように時計方向に回転させる。
【００６０】
ビスＢＬ、ＢＲを図８（Ａ）の矢印Ｘで示す時計方向に回転させると、蓋部材７０には回転方向の下流側に向く力がかかる。そして、蓋部材７０の左右のビス締結部の中間に形成されている突片７１にも、左右のビスＢＬ、ＢＲの回転方向の下流側に向く力がかかる。左側のビスＢＬの回転により、突片７１には図８（Ａ）の矢印Ｙで示す下向きの力がかかり、右片７２がカバー片６４の方向に押圧される。右側のビスＢＲの回転により、突片７１には図８（Ａ）の矢印Ｚで示す上向きの力がかかり、左片７３がカバー片６４の方向に押圧される。したがって、右片７２及び左片７３とカバー片６４との接触力が増大する。
【００６１】
上記したように本発明の一実施形態に係るカラープリンター１によれば、シールドケース５０に形成された基板開口５３を閉じる際には、蓋部材７０を閉位置に回動させて、蓋部材７０の突片７１をケース本体４０のカバー片６４に挟持させるとともに、蓋部材７０をケース本体４０の２箇所にビス止めするだけでよい。ビス止めすることにより、蓋部材７０の突片７１とケース本体４０のカバー片６４との接触力が増大するので、蓋部材７０とケース本体４０とを確実に電気的に接続できる。この際、突片７１とカバー片６４との接触だけでなく、天板５０の基板開口５３の周囲と蓋部材７０との接触力も増す。したがって、先行技術で示したような、開口の周囲で蓋部材をビス止めするような手間をかけなくとも、ケース本体４０の基板開口５３を容易に開閉でき、ケース本体４０と蓋部材７０との確実な電気的接続が得られ、基板開口５３からの電磁波の漏れを確実に遮蔽できる。また、カバー片６４の開口６４ａは、基板Ｓのオプション機器用コネクタＯＣに接続するコネクタが通過できる程度の狭い開口面積であるため、電磁波が漏れる虞はない。
【００６２】
さらに、ケース本体４０側の被係合部であるカバー片６４は、基板支持部材６０に一体に形成されているものである。このため、被係合部として新たな部位を形成したり、別部品を取り付ける必要がない。
【００６３】
さらには、蓋部材７０側の係合部である突片７１は、蓋部材７０に一体に形成することができ、折り曲げ加工のような簡単な加工で形成できる。
【００６４】
本発明の実施形態では、ケース本体４０の上側板４３に切り欠き４３ａが形成され、切り欠き４３ａに基板Ｓが支持された基板支持部材６０が支持される場合について説明したが、他の異なる実施形態では、切り欠き４３ａ以外の方法で基板支持部材６０がケース本体４０に支持される場合にも適用できる。この場合、例えば蓋部材７０の突片７１で上側板４３を挟持するように構成してもよい。
【００６５】
本発明の実施形態では、ケース本体４０の側に被係合部として板片状のカバー片６４を形成し、蓋部材７０の側に被係合部に係合する係合部として挟持片状の突片７１を形成したが、板片状の被係合部を蓋部材７０の側に形成し、挟持片状の係合部をケース本体４０の側に形成してもよい。
【００６６】
さらに、本発明の実施形態では、プリンター１に本発明の構成を適用した場合について説明したが、他の異なる実施形態では、複写機、ファクシミリ、複合機等のプリンター１以外の画像形成装置に本発明の構成を適用しても良い。
【００６７】
さらに、上記した本発明の実施形態の説明は、本発明に係る画像形成装置における好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００６８】
１  カラープリンター
３０  シールドケース
４０  ケース本体
５５  切り欠き状開口
６０  基板支持部材（支持部材）
６２  カバー板
６４  カバー片（被係合部、板片）
６４ａ  開口（第２開口）
７０  蓋部材
７１  突片（係合部、挟持片）
７２  右片
７３  左片
Ｓ  基板
ＯＣ  オプション機器用コネクタ（コネクタ）
【図１】
0005953274.tif 000002
【図２】
0005953274.tif 000003
【図３】
0005953274.tif 000004
【図４】
0005953274.tif 000005
【図５】
0005953274.tif 000006
【図６】
0005953274.tif 000007
【図７】
0005953274.tif 000008
【図８】
0005953274.tif 000009